(57)【要約】【課題】簡易な構成で、取り付け作業性を向上させる筐体用カバー、およびプロジェクターを提供する。【解決手段】筐体用カバー２は、接続ケーブルを介してプロジェクター１と接続される接続端子（接続端子群１３）を有するプロジェクター１の筐体１１に取り付けられ、接続端子群１３を覆う。筐体用カバー２は、接続ケーブルが挿通される挿通部２１を有し、一方の端面が開口する概箱状のカバー本体２０と、カバー本体２０に設置され、筐体１１に設置されてプロジェクター本体１０を支える脚部１５を用いて固定する固定部２２と、を備えている。【選択図】図３
2014170093.tif 000002
【特許請求の範囲】
【請求項１】
接続ケーブルを介して外部機器と接続される接続端子を有する電子機器の筐体に取り付けられ、前記接続端子を覆う筐体用カバーであって、
前記接続ケーブルが挿通される挿通部を有し、一方の端面が開口する概箱状のカバー本体と、
前記カバー本体に設置され、前記筐体に設置されて前記電子機器本体を支える脚部を用いて固定する固定部と、を備えていることを特徴とする筐体用カバー。
【請求項２】
請求項１に記載の筐体用カバーであって、
前記固定部は、一端側が開口され、前記脚部の軸部を挟むように前記一端側から挿入する切り欠き部を備えていることを特徴とする筐体用カバー。
【請求項３】
請求項１または請求項２に記載の筐体用カバーであって、
前記固定部は、前記筐体と前記脚部とにより挟持されることを特徴とする筐体用カバー。
【請求項４】
請求項１〜請求項３のいずれか一項に記載の筐体用カバーであって、
前記固定部は、前記一端側の端部に、前記筐体および前記脚部の少なくとも一方と、前記固定部の挿入方向とは逆方向で係止する係止部を備えていることを特徴とする筐体用カバー。
【請求項５】
請求項１〜請求項４のいずれか一項に記載の筐体用カバーであって、
前記カバー本体は、前記固定部を１つまたは２つ有していることを特徴とする筐体用カバー。
【請求項６】
光源から射出された光束を画像情報に応じて変調する光変調装置と、
前記光変調装置が内部に配置される筐体と、
請求項１〜請求項５のいずれか一項に記載の筐体用カバーと、を備えたことを特徴とするプロジェクター。
【請求項７】
請求項６に記載のプロジェクターであって、
前記筐体および前記脚部の少なくとも一方は、前記固定部に設置される前記係止部に、前記固定部の挿入方向とは逆方向で係止する係止用受部を備えていることを特徴とするプロジェクター。
【請求項８】
請求項６または請求項７に記載のプロジェクターであって、
前記脚部は、前記筐体に伸縮可能に設置され、
前記脚部と前記筐体とにより、前記固定部を挟持することを特徴とするプロジェクター。
【請求項９】
請求項８に記載のプロジェクターであって、
前記脚部は、前記軸部を構成するネジ部と、当該ネジ部に螺合して前記固定部を前記筐体との間に挟持するナット部と、を有していることを特徴とするプロジェクター。
【発明の詳細な説明】
【技術分野】
【０００１】
本発明は、筐体用カバー、および筐体用カバーを備えたプロジェクターに関する。
【背景技術】
【０００２】
従来、電子機器として、例えば、光源から射出された光を画像情報に応じて変調し、スクリーン等に変調された画像を投写するプロジェクターが知られている。プロジェクターには、通常、接続ケーブルを介して外部機器と接続される接続端子が設置されている。プロジェクターは、接続ケーブルおよび接続端子を通じて外部機器から入力される画像を投写する。
【０００３】
また、プロジェクターは、机上や天井等に設置して使用される。特に、プロジェクターを天井に設置して使用する場合、接続される接続ケーブルを覆って隠すカバーをプロジェクターに取り付けることで、プロジェクターの外観的な見栄えを向上させることが行われている。
【０００４】
特許文献１では、以下のような電子機器筐体用カバーの構成が開示されている。
電子機器筐体用カバーとしてのカバー部材は、カバー本体と、係合部材と、付勢部材としてのコイルばねとを備えている。カバー本体は、コネクタ群に接続される接続ケーブルが挿通される挿通部としての切り欠きを有し、一方の端面が開口する箱状に形成されている。係合部材は、カバー本体内部に回動自在に設けられ、外装ケースと係合する。コイルばねは、係合部材を外装ケースへの係合方向に付勢する。なお、この構成により、ドライバー等の工具を使用せずに、電子機器筐体に対して電子機器筐体用カバーを取り付けることができ、電子機器筐体への着脱を容易に実施できるとしている。
【０００５】
また、特許文献２では、以下のような装着カバーの構成が開示されている。
装着対象部に着脱自在に装着される装着カバーは、装着対象部に装着して固定する固定部を備え、この固定部は、装着カバーの本体に回転自在に支持されるネジを有して装着対象部に固定するネジ固定部を備えている。また、ネジ固定部は、ネジに付勢力を付与する付勢部材を備えている。なお、この構成により、固定部（ネジ固定部）に備える付勢部材により、ネジのがたつきが抑制され、ネジ締め用の工具（ドライバー等）を用いてネジ締めする際の作業性を向上させると共に、装着カバーを装着対象部に確実に固定することができるとしている。
【先行技術文献】
【特許文献】
【０００６】
【特許文献１】特開２００４−２０７４００号公報
【特許文献２】特開２０１２−８１７４号公報
【発明の概要】
【発明が解決しようとする課題】
【０００７】
しかし、特許文献１の電子機器筐体用カバーでは、コイルばねや係合部材等、カバー本体への取り付け用の部材が必要となり、係合部材等の構成や組み立てが複雑になりやすいという課題があった。また、特許文献２の装着カバーでは、装着対象部に固定する際、ネジ締め用の工具（ドライバー等）が必要となるため、作業性を更に向上させることが課題となっていた。
従って、簡易な構成で、取り付け作業性を向上させる筐体用カバー、およびプロジェクターが要望されていた。
【課題を解決するための手段】
【０００８】
本発明は、上述した課題の少なくとも一部を解決するためになされたものであり、以下の形態または適用例として実現することが可能である。
【０００９】
［適用例１］本適用例に係る筐体用カバーは、接続ケーブルを介して外部機器と接続される接続端子を有する電子機器の筐体に取り付けられ、接続端子を覆う筐体用カバーであって、（ａ）接続ケーブルが挿通される挿通部を有し、一方の端面が開口する概箱状のカバー本体と、（ｂ）カバー本体に設置され、筐体に設置されて電子機器本体を支える脚部を用いて固定する固定部と、を備えていることを特徴とする。
【００１０】
このような筐体用カバーによれば、カバー本体と固定部とを備え、固定部は、筐体に設置されて電子機器本体を支える脚部を用いて固定する。このように、電子機器の筐体に設置される脚部を利用することにより、例えば、従来のように、コイルばねや係合部材等、複雑になりやすい機構をカバー本体に設置する必要がなくなる。また、例えば、従来のように、固定用のネジ等を締め付けるための取り付け用の工具（ドライバー等）を必要とせずに、筐体用カバーを筐体に取り付けることができる。従って、筐体用カバーの構成を簡易とすることができ、電子機器（筐体）への筐体用カバーの取り付けが容易となるため、取り付け作業性を向上させることができる。
【００１１】
［適用例２］上記適用例に係る筐体用カバーにおいて、固定部は、一端側が開口され、脚部の軸部を挟むように一端側から挿入する切り欠き部を備えていることが好ましい。
【００１２】
このような筐体用カバーによれば、脚部の軸部を挟むように、開口される一端側から切り欠き部を脚部に挿入することにより、筐体に取り付けて固定することができるため、取り付け作業を容易に行うことができる。
【００１３】
［適用例３］上記適用例に係る筐体用カバーにおいて、固定部は、筐体と脚部とにより挟持されることが好ましい。
【００１４】
このような筐体用カバーによれば、固定部が筐体と脚部とにより挟持されることで、更に確実に固定することができる。例えば、脚部の軸部が雄ネジで構成され、筐体内には雄ネジに螺合する雌ネジが設置され、脚部を回動させることで、脚部が筐体に対して伸縮可能となるように構成される場合、脚部に固定部を挿入して固定した状態で、更に、脚部を回動させて、固定部を筐体と脚部との間に挟持することで、筐体用カバーを更に確実に筐体に固定することができる。
【００１５】
［適用例４］上記適用例に係る筐体用カバーにおいて、固定部は、一端側の端部に、筐体および脚部の少なくとも一方と、固定部の挿入方向とは逆方向で係止する係止部を備えていることが好ましい。
【００１６】
このような筐体用カバーによれば、筐体用カバーを筐体に取り付けた場合、係止部により、挿入方向とは逆方向の位置を固定することができる。従って、筐体用カバーが挿入方向とは逆方向に移動することを係止することにより、筐体用カバーが筐体から外れることを防止することができる。
【００１７】
［適用例５］上記適用例に係る筐体用カバーにおいて、カバー本体は、固定部を１つまたは２つ有していることが好ましい。
【００１８】
電子機器（例えばプロジェクター）では、筐体用カバーが取り付けられる側に設置される脚部は、１つまたは２つで構成されていることが多い。従って、上述の筐体用カバーによれば、電子機器に設置される脚部の数に対応させて固定部を設けることができることで、脚部を効率的に利用することができる。
【００１９】
［適用例６］本適用例に係るプロジェクターは、光源から射出された光束を画像情報に応じて変調する光変調装置と、光変調装置が内部に配置される筐体と、上述したいずれかの筐体用カバーと、を備えたことを特徴とする。
【００２０】
このようなプロジェクターによれば、脚部を利用して筐体用カバーを容易に筐体に固定することができる。
【００２１】
［適用例７］上記適用例に係るプロジェクターにおいて、筐体および脚部の少なくとも一方は、固定部に設置される係止部に、固定部の挿入方向とは逆方向で係止する係止用受部を備えていることが好ましい。
【００２２】
このようなプロジェクターによれば、固定部の挿入方向とは逆方向で係止する係止用受部を備えて、固定部に設置される係止部を係止することにより、簡易な構成で確実に筐体用カバーの挿入方向とは逆方向の位置を固定することができる。従って、筐体用カバーが挿入方向とは逆方向に移動することを係止することにより、筐体用カバーが筐体から外れることを防止することができる。
【００２３】
［適用例８］上記適用例に係るプロジェクターにおいて、脚部は、筐体に伸縮可能に設置され、脚部と筐体とにより、固定部を挟持することが好ましい。
【００２４】
このようなプロジェクターによれば、筐体に伸縮可能に設置される脚部により、固定部を筐体に挟持することで、更に確実に、筐体用カバーを筐体に固定することができる。
【００２５】
［適用例９］上記適用例に係るプロジェクターにおいて、脚部は、軸部を構成するネジ部と、ネジ部に螺合して固定部を筐体との間に挟持するナット部と、を有していることが好ましい。
【００２６】
このようなプロジェクターによれば、脚部がネジ部とナット部とを有することで、例えば、脚部の高さを調整してプロジェクター本体の設置角度を調整した後、ナット部を回動してネジ部に螺合させることにより固定部を筐体とナット部との間に確実に挟持することができる。
【図面の簡単な説明】
【００２７】
【図１】第１実施形態に係るプロジェクターの概斜視図であり、（ａ）はプロジェクターを前面側から見た斜視図であり、（ｂ）はプロジェクターを背面側から見た斜視図。
【図２】筐体用カバーを示す概斜視図であり、（ａ）は筐体用カバーを前面側から見た斜視図であり、（ｂ）は筐体用カバーを背面側から見た斜視図。
【図３】筐体用カバーをプロジェクターに取り付けた状態を示す斜視図であり、（ａ）はプロジェクターの前面側から見た斜視図であり、（ｂ）は筐体用カバーの背面側から見た斜視図。
【図４】筐体用カバーを筐体に取り付けた状態を示す概断面図。
【図５】第２実施形態に係る筐体用カバーを示す概斜視図であり、（ａ）は筐体用カバーを前面側から見た斜視図であり、（ｂ）は筐体用カバーを背面側から見た斜視図。
【図６】筐体用カバーをプロジェクターに取り付けた状態を示す斜視図であり、（ａ）はプロジェクターの前面側から見た斜視図であり、（ｂ）は筐体用カバーの背面側から見た斜視図。
【図７】筐体用カバーを筐体に取り付けた状態を示す概断面図。
【図８】第３実施形態に係る筐体用カバーを示す概斜視図であり、（ａ）は筐体用カバーを前面側から見た斜視図であり、（ｂ）は筐体用カバーを背面側から見た斜視図。
【図９】筐体用カバーをプロジェクターに取り付けた状態を示す斜視図であり、（ａ）はプロジェクターの前面側から見た斜視図であり、（ｂ）は筐体用カバーの背面側から見た斜視図。
【図１０】筐体用カバーを筐体に取り付けた状態を示す概断面図。
【発明を実施するための形態】
【００２８】
以下、電子機器および電子機器の筐体用カバーの実施形態として、外部から入力される画像情報に応じて変調し、変調された画像をスクリーン等に投写するプロジェクター、およびプロジェクターの筐体用カバーに関し、図面に基づいて説明する。
（第１実施形態）
【００２９】
図１は、第１実施形態に係るプロジェクター１の概斜視図であり、図１（ａ）は、プロジェクター１を前面１１ａ側から見た斜視図であり、図１（ｂ）は、プロジェクター１を背面１１ｂ側から見た斜視図である。図１を参照してプロジェクター１の外観的な構成を説明する。
【００３０】
電子機器としてのプロジェクター１は、光源装置や光変調装置（いずれも図示省略）等の光学系を備えている。そして、プロジェクター１は、外部から入力される画像情報に応じて、光源装置（光源）から射出された光束を光変調装置で変調し、変調された画像をスクリーン等に投写する。図１に示すように、プロジェクター１は、プロジェクター本体１０が概直方体となる筐体１１で覆われ、筐体１１内部には光学系や電気回路系等を収容した構成となっている。
【００３１】
図１（ａ）に示すように、筐体１１の前面１１ａには投写光学系としての投写レンズ１２を備えている。また、筐体１１の上面１１ｃには入力操作部（図示省略）を備えている。図１（ｂ）に示すように、筐体１１の背面１１ｂには、電源端子を含む接続端子群１３等を備えている。電源端子は、電源ケーブル（図示省略）を接続することで、プロジェクター１に外部からＡＣ１００Ｖ等の商用電源を供給する。
【００３２】
接続端子群１３には、電源端子以外に、外部機器と接続ケーブルを介して接続される複数の接続端子が設置されている。接続端子としては、例えば、コンピューター画像入力端子、コンピューター音声入力端子、ビデオ画像入力端子、ビデオ音声入力端子、ＬＡＮ（Local Area Network）端子、ＵＳＢ（Universal Serial Bus）端子等がある。
【００３３】
図１（ｂ）に示すように、筐体１１の底面１１ｄには、筐体１１に設置されてプロジェクター本体１０を支える３つの脚部１５が設置されている。脚部１５は、前面１１ａ側に２つ、背面１１ｂ側に１つ備えている。ここで、前面１１ａ側の２つの脚部１５を脚部１５ａ，１５ｂとし、背面１１ｂ側の１つの脚部１５を脚部１５ｃとする。
【００３４】
本実施形態では、前面１１ａ側の２つの脚部１５ａ，１５ｂは、上下方向に伸縮可能に設置されて、プロジェクター本体１０の設置角度を調整することで、投写角度を調整可能としている。また、背面１１ｂ側の１つの脚部１５ｃは、筐体１１にネジ締めすることで脚部１５ｃ自身を筐体１１に固定し、設置角度の調整は行わない。脚部１５ｃの詳細な動作に関しては後述する。
【００３５】
また、図１（ｂ）に示すように、筐体１１の背面１１ｂには、全周に渡って背面１１ｂから一段窪んだ面部１６が形成されている。
【００３６】
図２は、筐体用カバー２を示す概斜視図であり、図２（ａ）は、筐体用カバー２を前面２０ａ側から見た斜視図であり、図２（ｂ）は、筐体用カバー２を背面２０ｂ側から見た斜視図である。また、図３は、筐体用カバー２をプロジェクター１に取り付けた状態を示す斜視図であり、図３（ａ）は、プロジェクター１の前面１１ａ側から見た斜視図であり、図３（ｂ）は、筐体用カバー２の背面２０ｂ側から見た斜視図である。図４は、筐体用カバー２を筐体１１に取り付けた状態を示す概断面図である。図２〜図４を参照して、筐体用カバー２の構成、および筐体用カバー２のプロジェクター１への取り付け方法を説明する。
【００３７】
筐体用カバー２は、プロジェクター１に接続される各種接続ケーブルを覆って隠す物であり、プロジェクター１の外観的な見栄えを向上させている。筐体用カバー２は、図３に示すように、接続端子群１３が設置されるプロジェクター１（筐体１１）の背面１１ｂに対峙した位置に取り付けられる。筐体用カバー２は、プロジェクター１に取り付けられた場合、筐体１１の外形形状とスムーズに繋がる外形形状となるように構成されている。
【００３８】
筐体用カバー２は、図２に示すように、一方の端面となる前面２０ａが開口する概箱状に形成されるカバー本体２０で構成されている。カバー本体２０は本実施形態では合成樹脂等で形成されているが、合成樹脂に限られるものではない。
【００３９】
カバー本体２０の底面２０ｄには、電源端子を含む接続端子群１３と接続する電源ケーブルや接続ケーブルが挿通される挿通部２１が形成される。挿通部２１は、接続端子群１３の設置位置に対応して底面２０ｄに略矩形状に切り欠かれた形状を有している。なお、本実施形態の接続端子群１３は、筐体１１の背面１１ｂの左端部側に設置され、挿通部２１も底面２０ｄの左端部側に設置される。
【００４０】
筐体用カバー２は、カバー本体２０をプロジェクター１の筐体１１に取り付けた場合、図３（ｂ）に示すように、挿通部２１がカバー本体２０と筐体１１との間に囲まれ、略矩形状の開口部が形成される。そして、開口部（挿通部２１）には、上述したように、接続端子群１３に接続される接続ケーブルが挿通される。
【００４１】
カバー本体２０の底面２０ｄの左右方向の略中央には、前方に向かって延出する固定部２２が１つ形成されている。固定部２２は、板状に形成され、一端側が開口された切り欠き部２３を備えている。切り欠き部２３は、本実施形態では、略Ｕ字状となっている。また、固定部２２は、一端側の端部に下方向に突出する係止部としての２つの係止用突起２４を備えている。
【００４２】
カバー本体２０の上面２０ｃの前方側端部となる前面２０ａの左右には、底面２０ｄ側に向かって突出する係合部としての係合用突起２６が形成されている。
【００４３】
図４に示すように、脚部１５ｃは、プロジェクター１が設置される設置面に当接する頭部１５１と、雄ネジで構成される軸部としてのネジ部１５２とを有している。脚部１５ｃを固定する筐体１１には、雌ネジで構成される第１ナット１８が筐体１１内部に設置されている。従って、脚部１５ｃは、ネジ部１５２を第１ナット１８に螺合させて回転することで、筐体１１に固定することができる。
【００４４】
また、図４に示すように、筐体１１の背面１１ｂには、筐体用カバー２の係合用突起２６に対応する位置に、係合用突起２６を受ける係合用受部１７が底面１１ｄ側に向かって溝状に形成されている。
【００４５】
以降では、筐体用カバー２をプロジェクター１の筐体１１に取り付けて固定する方法を説明する。
最初に、脚部１５ｃを回転させて、筐体１１の底面１１ｄからネジ部１５２がある程度露出する状態とする。次に、プロジェクター１の背面１１ｂに筐体用カバー２の前面２０ａを対峙させた後、筐体用カバー２を前方へ移動させ、脚部１５ｃに固定部２２を挿入する。詳細には、固定部２２（切り欠き部２３）の一端側の開口された部分が、脚部１５ｃの露出させたネジ部１５２を挟むように挿入する。この挿入に併せて、筐体用カバー２の係合用突起２６を筐体１１の係合用受部１７に係合させる。
【００４６】
そして、更に、固定部２２を挿入することで、筐体１１の面部１６に筐体用カバー２の前面２０ａを当接させる。この当接により、筐体用カバー２の前方への移動が制限される。なお、本実施形態では、固定部２２を脚部１５ｃに挿入する動作により、脚部１５ｃのネジ部１５２を固定部２２の切り欠き部２３に挿通させている。
【００４７】
次に、脚部１５ｃを筐体１１にねじ込む方向に回転させることにより、固定部２２を、筐体１１（底面１１ｄ）と脚部１５ｃ（頭部１５１）とで挟持する。なお、脚部１５ｃの頭部１５１は、使用者の指先で容易に回すことができる。
この一連の動作により、筐体用カバー２が筐体１１に取り付けられて固定される。
【００４８】
なお、筐体用カバー２が筐体１１に取り付けられた場合、固定部２２の係止用突起２４は、脚部１５ｃの頭部１５１の前方側面に、頭部１５１と僅かな隙間を有して位置する状態となっている。この係止用突起２４は、固定部２２の挿入方向（本実施形態では、プロジェクター１の背面１１ｂから前面１１ａに向う方向）とは逆方向で脚部１５ｃ（頭部１５１）と係止することにより、プロジェクター１に取り付けられた筐体用カバー２に、挿入方向とは逆方向の外力等が加わった場合等において、筐体用カバー２が筐体１１（プロジェクター１）から外れることを防止する。
【００４９】
なお、脚部１５ｃの頭部１５１は、固定部２２に設置される係止部としての係止用突起２４に、固定部２２の挿入方向とは逆方向で係止する係止用受部として機能している。また、筐体用カバー２が筐体１１から外れることを防止する動作は、係止用突起２４および頭部１５１（係止用受部）の係止動作と、係合用突起２６および係合用受部１７の係合動作との協働により行われる。
【００５０】
なお、筐体用カバー２を筐体１１から取り外す場合には、上述した取り付け方法とは逆の手順で行うことにより、容易に取り外すことができる。
【００５１】
上述した実施形態によれば、以下の効果が得られる。
本実施形態の筐体用カバー２は、カバー本体２０と固定部２２とを備え、固定部２２は、筐体１１に設置されてプロジェクター本体１０を支える脚部１５ｃを用いて固定する。このように、筐体１１に設置される脚部１５ｃを利用することにより、従来のように、コイルばねや係合部材等、複雑になりやすい機構をカバー本体２０に設置する必要がなくなる。また、従来のように、固定用のネジ等を締め付けるための取り付け用の工具（ドライバー等）を必要とせずに、筐体用カバー２を筐体１１に取り付けることができる。従って、筐体用カバー２の構成を簡易とすることができ、筐体１１への筐体用カバー２の取り付けが容易となるため、取り付け作業性を向上させることができる。また、逆に、筐体１１から筐体用カバー２を取り外す、取り外し作業性も向上させることができる。
【００５２】
本実施形態の筐体用カバー２は、簡易な構成であるため、製造コストを低減することができる。
【００５３】
本実施形態の筐体用カバー２は、特に、プロジェクター１の天吊り設置時において、取り付け又は取り外しを行う際、位置が判り易い脚部１５ｃを利用して行えるため、従来に比べて着脱作業性を向上させることができる。なお、天吊り設置とは、本実施形態では、プロジェクター１の上下を逆転させて天井に設置することとしている。
【００５４】
本実施形態の筐体用カバー２によれば、固定用の複雑な機構を筐体１１に設置する必要がないため、筐体用カバー２を使用しない場合であっても、プロジェクター１の美観を損なうことを防止できる筐体用カバー２を実現できる。
【００５５】
本実施形態の筐体用カバー２は、脚部１５ｃが有する軸部としてのネジ部１５２を挟むように、切り欠き部２３の開口される一端側から固定部２２を脚部１５ｃに挿入することにより、筐体１１に取り付けて固定することができるため、取り付け作業を安定して容易に、また確実に行うことができる。
【００５６】
本実施形態の筐体用カバー２は、固定部２２が筐体１１と脚部１５ｃとにより挟持されることで、筐体用カバー２を確実に筐体１１へ固定することができる。
【００５７】
本実施形態の筐体用カバー２は、筐体１１に取り付けた場合、係止部としての係止用突起２４、および係止用受部としての脚部１５ｃの頭部１５１とにより、挿入方向とは逆方向の位置を固定することができる。従って、筐体用カバー２が挿入方向とは逆方向に移動することを係止することにより、筐体用カバー２が筐体１１から外れることを防止することができる。これにより、挿入方向とは逆方向から筐体用カバー２に外部衝撃が加わった場合、筐体用カバー２が筐体１１から外れることを防止することができる。
【００５８】
本実施形態の筐体用カバー２は、プロジェクター１の背面１１ｂ側に設置される１つの脚部１５ｃに対応させて、固定部２２を１つ設けることで、脚部１５ｃを効率的に利用することができる。
【００５９】
本実施形態のプロジェクター１は、前述の筐体用カバー２を備えているので、簡易な構成で、プロジェクター本体１０の設置角度を調整する機能と、固定部２２を筐体１１との間に挟持して筐体用カバー２を固定する機能とを併せ持つことができる。
【００６０】
本実施形態のプロジェクター１によれば、脚部１５ｃが係止用受部として機能することで、確実に筐体用カバー２の挿入方向とは逆方向の位置を固定することができ、筐体用カバー２が筐体１１から外れることを防止することができる。
【００６１】
本実施形態のプロジェクター１は、脚部１５ｃを用いて筐体用カバー２を固定するため、筐体１１に固定用の複雑な機構を設置する必要がなく、筐体用カバー２を取り外して使用する場合にも、プロジェクター１の美観を損なうことを防止できる。
【００６２】
本実施形態のプロジェクター１は、前述の筐体用カバー２を備えているため、上記の筐体用カバー２における作用効果と同様の作用効果を奏することができる。
（第２実施形態）
【００６３】
図５は、第２実施形態に係る筐体用カバー４を示す概斜視図であり、図５（ａ）は、筐体用カバー４を前面２０ａ側から見た斜視図であり、図５（ｂ）は、筐体用カバー４を背面２０ｂ側から見た斜視図である。また、図６は、筐体用カバー４をプロジェクター３に取り付けた状態を示す斜視図であり、図６（ａ）は、プロジェクター３の前面１１ａ側から見た斜視図であり、図６（ｂ）は、筐体用カバー４の背面２０ｂ側から見た斜視図である。図７は、筐体用カバー４を筐体１１に取り付けた状態を示す概断面図である。図５〜図７を参照して筐体用カバー４の構成、および筐体用カバー４のプロジェクター３への取り付け方法を説明する。
【００６４】
本実施形態の筐体用カバー４は、第１実施形態の筐体用カバー２と比較して、以下の点が異なっている。第１実施形態の挿通部２１の位置が、左端部側であることに比較して、本実施形態の挿通部４１の位置は、右方向に若干移動したことが異なる。また、第１実施形態の固定部２２が、底面２０ｄの中央部に１つ設置されることに比較して、本実施形態の固定部４２は、底面２０ｄの左右方向に１つずつ計２つ設置されることが異なる。その他は、第１実施形態の筐体用カバー２と同様に構成されている。なお、同様に構成される部分は同様の符号を付記すると共に説明を省略する。筐体用カバー４の詳細は後述する。
【００６５】
本実施形態のプロジェクター３は、第１実施形態のプロジェクター１と比較して、以下の点が異なっている。第１実施形態の脚部１５が、前面１１ａ側に２つ、背面１１ｂ側に１つ設置されていたのに比較して、本実施形態の脚部１５は、前面１１ａ側に１つ、背面１１ｂ側に２つ設置されることが異なる。また、第１実施形態の接続端子群１３が、背面１１ｂ側の左端部側に設置されることに比較して、本実施形態の接続端子群１３は、右側に若干移動して設置されることが異なる。その他は、第１実施形態のプロジェクター１と同様に構成されている。なお、同様に構成される部分は同様の符号を付記すると共に説明を省略する。プロジェクター３の詳細は後述する。
【００６６】
図６に示すように、本実施形態のプロジェクター３において、筐体１１に設置されてプロジェクター本体１０を支える脚部１５が、上述したように、前面１１ａ側に１つ設置され、背面１１ｂ側に２つ設置される。ここで、前面１１ａ側の１つの脚部１５を脚部１５ｄとし、背面１１ｂ側の２つの脚部１５を脚部１５ｅ，１５ｆとする。
【００６７】
本実施形態では、３つの脚部１５ｄ，１５ｅ，１５ｆは、上下方向に伸縮可能に設置されて、プロジェクター本体１０の設置角度を調整することで、投写角度を調整可能としている。２つの脚部１５ｅ，１５ｆの詳細な構成と動作に関しては後述する。
【００６８】
図５に示すように、本実施形態の筐体用カバー４において、カバー本体２０の底面２０ｄには、プロジェクター３側の電源端子を含む接続端子群１３と接続する電源ケーブルや接続ケーブルが挿通される挿通部４１が形成される。挿通部４１は、接続端子群１３の設置位置に対応して底面２０ｄに略矩形状に切り欠かれた形状を有している。
【００６９】
図５に示すように、カバー本体２０の底面２０ｄの左右方向には、前方に向かって延出する固定部４２が２つ形成されている。固定部４２は、板状に形成され、一端側が開口された切り欠き部４３を備えている。切り欠き部４３は、本実施形態では、略Ｕ字状となっている。また、固定部４２は、一端側の端部に上方向に突出する係止部としての２つの係止用突起４４を備えている。
【００７０】
図７を参照して、筐体用カバー４をプロジェクター３の筐体１１に取り付けて固定する方法を説明する。
最初に、３つの脚部１５ｄ，１５ｅ，１５ｆを回動させて、プロジェクター本体１０の設置角度（投写角度）を調整する。このとき、背面１１ｂ側の２つの脚部１５ｅ，１５ｆのネジ部１５２が底面１１ｄからある程度露出する状態となるように調整する。
【００７１】
ここで、本実施形態の脚部１５ｅ，１５ｆは、頭部１５１とネジ部１５２の他、ナット部としての第２ナット１５３を有して構成されている。第２ナット１５３は、ネジ部１５２に螺合され、回動することで、ネジ部１５２を移動可能となっている。なお、それぞれの第２ナット１５３は、ネジ部１５２に螺合して筐体用カバー４の固定部４２を筐体１１との間に挟持する動作を行う。従って、脚部１５ｅ，１５ｆで設置角度を調整する際に、第２ナット１５３と筐体１１との間のネジ部１５２が露出する状態となるように調整する。
【００７２】
次に、プロジェクター３の背面１１ｂに筐体用カバー４の前面２０ａを対峙させた後、筐体用カバー４を前方へ移動させ、脚部１５ｅ，１５ｆに、それぞれの固定部４２を挿入する。詳細には、固定部４２（切り欠き部４３）の一端側の開口された部分が、脚部１５ｅ，１５ｆの露出させたネジ部１５２をそれぞれ挟むように挿入する。この挿入に併せて、筐体用カバー４の係合用突起２６を筐体１１の係合用受部１７に係合させる。
【００７３】
そして、更に、固定部４２を挿入することで、筐体１１の面部１６に筐体用カバー４の前面２０ａを当接させる。この当接により、筐体用カバー４の前方への移動が制限される。なお、本実施形態では、２つの固定部４２を脚部１５ｅ，１５ｆにそれぞれ挿入する動作により、脚部１５ｅ，１５ｆのそれぞれのネジ部１５２を固定部４２のそれぞれの切り欠き部４３に挿通させている。
【００７４】
ここで、筐体１１の底面１１ｄには、筐体用カバー４の固定部４２に形成される係止用突起４４を受ける係止用受部１９が一段窪んで形成されている。そして、筐体用カバー４の前方への移動が制限された場合、係止用突起４４は、係止用受部１９に係止される。
【００７５】
次に、図７において矢印で示すように、第２ナット１５３を筐体１１の方向に移動するように回転させることで、固定部４２を、筐体１１（底面１１ｄ）と脚部１５ｅ，１５ｆ（第２ナット１５３）とで挟持する。なお、脚部１５ｅ，１５ｆのそれぞれの第２ナット１５３は、使用者の指先で容易に回すことができる。
この一連の動作により、筐体用カバー４が筐体１１に取り付けられて固定される。
【００７６】
なお、筐体用カバー４が筐体１１に取り付けられた場合、係止用突起４４は、係止用受部１９により、固定部４２の挿入方向とは逆方向で係止される。これにより、プロジェクター３に取り付けられた筐体用カバー４に、挿入方向とは逆方向の外力等が加わった場合等において、筐体用カバー４が筐体１１（プロジェクター３）から外れることを防止する。筐体用カバー４が筐体１１から外れることを防止する動作は、係止用突起４４および係止用受部１９の係止動作と、係合用突起２６および係合用受部１７の係合動作との協働により行われる。
【００７７】
なお、筐体用カバー４を筐体１１から取り外す場合、取り付け方法とは逆の手順で行うことにより、容易に取り外すことができる。
【００７８】
上述した実施形態によれば、第１実施形態と同様の構成部分では同様の効果を奏することができる他、以下の効果が得られる。
【００７９】
本実施形態の筐体用カバー４は、固定部４２が、筐体１１と、脚部１５ｅ，１５ｆの第２ナット１５３とにより挟持されることで、確実に筐体用カバー４を筐体１１に固定することができる。
【００８０】
本実施形態の筐体用カバー４は、脚部１５ｅ，１５ｆが第２ナット１５３を有することにより、脚部１５ｅ，１５ｆを伸縮させて、プロジェクター本体１０の設置角度を調整した後、第２ナット１５３を回動して、固定部４２を筐体１１とで挟持して固定することができる。
（第３実施形態）
【００８１】
図８は、第３実施形態に係る筐体用カバー６を示す概斜視図であり、図８（ａ）は、筐体用カバー６を前面２０ａ側から見た斜視図であり、図８（ｂ）は、筐体用カバー６を背面２０ｂ側から見た斜視図である。また、図９は、筐体用カバー６をプロジェクター５に取り付けた状態を示す斜視図であり、図９（ａ）は、プロジェクター５の前面１１ａ側から見た斜視図であり、図９（ｂ）は、筐体用カバー６の背面２０ｂ側から見た斜視図である。図１０は、筐体用カバー６を筐体１１に取り付けた状態を示す概断面図である。図８〜図１０を参照して筐体用カバー６の構成、および筐体用カバー６のプロジェクター５への取り付け方法を説明する。
【００８２】
本実施形態の筐体用カバー６は、第２実施形態の筐体用カバー４と比較して、以下の点が異なっている。第２実施形態の固定部４２の切り欠き部４３に比較して、本実施形態の固定部６２の切り欠き部６３の形状が異なっている。また、第２実施形態の固定部４２が係止用突起４４を有していることに比較して、本実施形態の固定部６２は係止用突起を有していないことが異なる。その他は、第２実施形態の筐体用カバー４と同様に構成されている。なお、同様に構成される部分は同様の符号を付記すると共に説明を省略する。筐体用カバー６の詳細は後述する。
【００８３】
本実施形態のプロジェクター５は、第２実施形態のプロジェクター３と比較して、以下の点が異なっている。第２実施形態の脚部１５ｅ，１５ｆが第２ナット１５３をそれぞれ有していたことに比較して、本実施形態の脚部１５ｈ，１５ｉは第２ナットを有していないことが異なる。また、第２実施形態の筐体１１には、係止用受部１９が形成されていたが、本実施形態の筐体１１には、係止用受部は形成されていないことが異なる。その他は、第２実施形態のプロジェクター３と同様に構成されている。なお、同様に構成される部分は同様の符号を付記すると共に説明を省略する。プロジェクター５の詳細は後述する。
【００８４】
図９に示すように、本実施形態のプロジェクター５において、筐体１１に設置されてプロジェクター本体１０を支える脚部１５が、第２実施形態の脚部１５と同様に、前面１１ａ側に１つ設置され、背面１１ｂ側に２つ設置される。ここで、前面１１ａ側の１つの脚部１５を脚部１５ｇとし、背面１１ｂ側の２つの脚部１５を脚部１５ｈ，１５ｉとする。
【００８５】
本実施形態では、３つの脚部１５ｇ，１５ｈ，１５ｉは、第２実施形態の脚部１５と同様に、上下方向に伸縮可能に設置されて、プロジェクター本体１０の設置角度を調整することで、投写角度を調整可能としている。
【００８６】
図８に示すように、カバー本体２０の底面２０ｄの左右方向には、前方に向かって延出する固定部６２が２つ形成されている。固定部６２は、板状に形成され、一端側が開口された切り欠き部６３を備えている。
【００８７】
切り欠き部６３は、本実施形態では、一端側から、開口部６３１、第１切り欠き部６３２、第２切り欠き部６３３を有して構成されている。一端側の開口部６３１の幅は、本実施形態では、第２実施形態の開口の幅に比べて狭くなっている。また、この開口部６３１の幅は、脚部１５ｈ，１５ｉの有するネジ部１５２の外径より小さく形成されている。また、開口部６３１には、固定部６２を脚部１５ｈ，１５ｉに挿入する場合、ネジ部１５２を滑らかに挿通させるためのテーパ部６３１ａが両先端部に形成されている。
【００８８】
開口部６３１に接続する第１切り欠き部６３２は、ネジ部１５２の外径と略同様の内径で形成され、ネジ部１５２を挿通させる部分である。また、第１切り欠き部６３２に接続する第２切り欠き部６３３は、固定部６２を脚部１５ｈ，１５ｉに挿入する際、開口部６３１がネジ部１５２を挿通可能とさせるために、応力を分散させて面方向で弾性を有するように形成した部分である。
【００８９】
図１０を参照して、筐体用カバー６をプロジェクター５の筐体１１に取り付けて固定する方法を説明する。
最初に、２つの脚部１５ｈ，１５ｉを回動させて、２つの脚部１５ｈ，１５ｉのネジ部１５２が底面１１ｄからある程度露出する状態とする。次に、プロジェクター５の背面１１ｂに筐体用カバー６の前面２０ａを対峙させた後、筐体用カバー６を前方へ移動させ、脚部１５ｈ，１５ｉに、それぞれ固定部６２を挿入する。
【００９０】
固定部６２の脚部１５ｈ，１５ｉへの挿入は、詳細には、固定部６２（切り欠き部６３）の一端側の開口部６３１が、脚部１５ｈ，１５ｉの露出させたネジ部１５２をそれぞれ挟むように挿入する。このとき、ネジ部１５２は、開口部６３１のテーパ部６３１ａに当接して、開口部６３１を面方向に押し広げて開口部６３１内に移動する。この挿入に併せて、筐体用カバー６の係合用突起２６を筐体１１の係合用受部１７に係合させる。
【００９１】
更に、固定部６２を挿入することで、筐体１１の面部１６に筐体用カバー６の前面２０ａが当接させる。この当接により、筐体用カバー６の前方への移動が制限される。また、この挿入動作により、開口部６３１内に移動したネジ部１５２は、第１切り欠き部６３２に移動する。なお、本実施形態では、２つの固定部６２を脚部１５ｈ，１５ｉにそれぞれ挿入する動作により、脚部１５ｈ，１５ｉのそれぞれのネジ部１５２を固定部６２のそれぞれの第１切り欠き部６３２に挿通させている。
この一連の動作により、筐体用カバー６が筐体１１に取り付けられて固定される。
【００９２】
なお、３つの脚部１５ｇ，１５ｈ，１５ｉは、回動することで、プロジェクター本体１０の設置角度（投写角度）を調整することができる。本実施形態のプロジェクター５では、脚部１５ｈ，１５ｉに筐体用カバー６の固定部６２を挿通（筐体用カバー６を設置）させた状態で調整することができる。また、逆に、脚部１５ｈ，１５ｉを回動させて設置角度（投写角度）を調整した後に、筐体用カバー６の固定部６２を挿通（筐体用カバー６を設置）させることができる。
【００９３】
本実施形態において、筐体用カバー６が筐体１１に取り付けられた場合、固定部６２の切り欠き部６３（開口部６３１）は、固定部６２の挿入方向とは逆方向で脚部１５ｈ，１５ｉのネジ部１５２と係止することにより、プロジェクター５に取り付けられた筐体用カバー６に、挿入方向とは逆方向の外力等が加わった場合等、筐体用カバー６が筐体１１（プロジェクター５）から外れることを防止する。
【００９４】
この場合、脚部１５ｈ，１５ｉのネジ部１５２は、固定部６２の挿入方向とは逆方向で係止する係止用受部として機能している。また、筐体用カバー６が筐体１１から外れることを防止する動作は、切り欠き部６３（開口部６３１）およびネジ部１５２（係止用受部）の係止動作と、係合用突起２６および係合用受部１７の係合動作との協働により行われる。
【００９５】
なお、筐体用カバー６を筐体１１から取り外す場合には、上述した取り付け方法とは逆の手順で行うことにより、容易に取り外すことができる。
【００９６】
上述した実施形態によれば、以下の効果が得られる。
本実施形態の筐体用カバー６は、固定部６２を脚部１５ｈ，１５ｉに挿入する（固定部６２の第１切り欠き部６３２に、脚部１５ｈ，１５ｉのネジ部１５２を挿通する）ことで、筐体１１に固定できる。これにより、第１実施形態の脚部１５ｃ（頭部１５１）や第２実施形態の脚部１５ｅ，１５ｆ（第２ナット１５３）を回転させて、固定部２２，４２を筐体１１とで挟持させなくても、筐体用カバー６を固定することができる。従って、筐体用カバー６（固定部６２）の構成を簡易とすることができ、筐体１１への筐体用カバー６の取り付け作業性を更に向上させることができる。
【００９７】
本実施形態の筐体用カバー６は、固定部６２の切り欠き部６３（第１切り欠き部６３２）に脚部１５ｈ，１５ｉのネジ部１５２を挿通することで、筐体１１に固定できる。また、脚部１５ｈ，１５ｉによるプロジェクター本体１０の設置角度（投写角度）調整は、筐体用カバー６を取り付ける前でも、取り付けた後でも行うことができる。このため、筐体用カバー６の筐体１１への取り付け作業と、投写角度調整作業との双方の効率化を図ることができる。
【００９８】
なお、上述した実施形態に限定されず、その要旨を逸脱しない範囲において種々の変更や改良等を加えて実施することが可能である。変形例を以下に述べる。
【００９９】
前記第１実施形態の筐体用カバー２（固定部２２）の係止用突起２４は、下方向に突出しているが、第２実施形態の筐体用カバー４（固定部４２）の係止用突起４４と同様に上方向に突出させて、筐体１１に係止用受部を設置することでもよい。また、逆に、第２実施形態の筐体用カバー４（固定部４２）の係止用突起４４を、第１実施形態の筐体用カバー２（固定部２２）の係止用突起２４と同様に、下方向に突出させ、第２ナット１５３を係止用受部として使用することでもよい。
【０１００】
前記第１、第２実施形態で、固定部２２，４２の係止用突起２４，４４（係止部）および係止用受部１９は、設置しなくてもよい。その場合、脚部１５ｃの頭部１５１、脚部１５ｅ，１５ｆの第２ナット１５３で、固定部２２，４２を筐体１１に挟持する構成であればよい。
【０１０１】
前記第２実施形態の筐体用カバー４（固定部４２）の切り欠き部４３は、それぞれ略Ｕ字状に形成され、その内側にネジ部１５２をそれぞれ挿通している。しかし、切り欠き部４３は、この形状に限定されない。例えば、２つの固定部４２に形成される２つの切り欠き部を併せた形状が略Ｕ字状となるような形状であってもよい。そして、このような切り欠き部がそれぞれネジ部１５２を挟むように脚部１５ｅ，１５ｆに挿入されることにより、ネジ部１５２をこの切り欠き部に挿通させることでよい。
【０１０２】
前記第１〜第３実施形態では、背面１１ｂ側に接続端子群１３が設置されている場合の筐体用カバー２，４，６を説明したが、接続端子群１３が背面１１ｂ側ではなく、左右側の側面に設置されている場合にも、適用することができる。なお、筐体用カバーをプロジェクターの筐体の左右側の側面に設置する場合、プロジェクターに設置される脚部は、前面側の脚部および背面１１ｂ側の脚部の少なくとも１つを用いて、前記第１〜第３実施形態と同様に構成して筐体用カバーを設置することでよい。
【０１０３】
前記第１〜第３実施形態では、筐体用カバー２，４，６をプロジェクター１，３，５に取り付けて、プロジェクター１，３，５に接続される各種接続ケーブルを覆っている。しかし、プロジェクターには限定されず、他の電子機器に対し、脚部を利用して筐体用カバーを取り付け、電子機器に接続される各種接続ケーブルを覆うことでもよい。
【０１０４】
前記第１〜第３実施形態では、プロジェクター１，３，５に接続される各種接続ケーブルを覆うことに、筐体用カバー２，４，６を使用している。しかし、筐体用カバーは、ケーブルを覆うことには限定されず、筺体の外面に露出する構成部分を覆うことに使用することでもよい。例えば、プロジェクターに着脱可能に設置される光源装置のカバーとして使用することでもよい。また、プロジェクターの内部を冷却するための空気を吸気する際の塵埃の進入を防止するフィルターを筐体用カバーに備え、この筐体用カバーを吸気口の部分に設置して使用することでもよい。
【符号の説明】
【０１０５】
１，３，５…プロジェクター、２，４，６…筐体用カバー、１０…プロジェクター本体、１１…筐体、１３…接続端子群、１５…脚部、２０…カバー本体、２１，４１…挿通部、２２，４２，６２…固定部、２３，４３，６３…切り欠き部、１５２…ネジ部、１５３…第２ナット。
【図１】
2014170093.tif 000003
【図２】
2014170093.tif 000004
【図３】
2014170093.tif 000005
【図４】
2014170093.tif 000006
【図５】
2014170093.tif 000007
【図６】
2014170093.tif 000008
【図７】
2014170093.tif 000009
【図８】
2014170093.tif 000010
【図９】
2014170093.tif 000011
【図１０】
2014170093.tif 000012